(57)【要約】【課題】  被包装物を包装する包装工程上でフィルム材の曲がり具合や端部同士の重なり具合等にバラツキが生じたとしても、開封の円滑性が確保されるピロー包装用原反フィルムを提供する。【解決手段】  曲折自在な帯状のフィルム材で構成され、長手方向に延びる第一切断補助線が形成されるとともに、該第一切断補助線に対して長手方向と直交する短手方向に間隔をあけて長手方向に延びる第二切断補助線が形成され、被包装物を包み込むように短手方向に曲げた上で、重なり合う短手方向の両端部同士がシールされるとともに、長手方向における被包装物の両側で互いに重なり合った部分同士がシールされ、長手方向で所定長さ毎に切断されることで被包装物を包装したピロー包装体にされるピロー包装用原反フィルムであって、第一切断補助線及び第二切断補助線の少なくとも何れか一方が、短手方向で並列をなすように複数本形成されている。【選択図】図１
2010285167.tif 000002
【特許請求の範囲】
【請求項１】
曲折自在な帯状のフィルム材で構成され、長手方向に延びる第一切断補助線が形成されるとともに、該第一切断補助線に対して長手方向と直交する短手方向に間隔をあけて長手方向に延びる第二切断補助線が形成され、被包装物を包み込むように短手方向に曲げた上で、重なり合う短手方向の両端部同士がシールされるとともに、長手方向における被包装物の両側で互いに重なり合った部分同士がシールされ、長手方向で所定長さ毎に切断されることで被包装物を包装したピロー包装体にされるピロー包装用原反フィルムであって、第一切断補助線及び第二切断補助線の少なくとも何れか一方が、短手方向で並列をなすように複数本形成されていることを特徴とするピロー包装用原反フィルム。
【請求項２】
前記第一切断補助線が一本形成されるのに対し、前記第二切断補助線が複数本形成されている請求項１に記載のピロー包装用原反フィルム。
【請求項３】
曲折自在なフィルム材で構成された包装材を備え、包装材は、被包装物を包み込むように一方向に曲げられた状態で、一方向の両端部同士がシールされるとともに、被包装物の両側となる他方向の両端部の互いに重なり合った部分同士がシールされて被包装物を包装し、しかも、一方向に曲げられることで互いに対向する二つの領域のうちの一方の領域には、他方向の両端部に形成される一対のシール部の少なくとも何れか一方のシール部内に始点を有して一方向と直交する他方向に延びる第一切断補助線が形成され、他方の領域には、第一切断補助線の始点があるシール部内に始点を有して他方向に延びる第二切断補助線が形成されたピロー包装体であって、包装材は、第一切断補助線及び第二切断補助線の少なくとも何れか一方が、一方向で並列をなすように複数本形成されていることを特徴とするピロー包装体。
【請求項４】
前記第一切断補助線が一本形成されるのに対し、前記第二切断補助線が複数本形成されている請求項３に記載のピロー包装体。
【発明の詳細な説明】
【技術分野】
【０００１】
本発明は、被包装物を包装するための包装用原反フィルム、及び、被包装物を包装した包装体に関し、より詳しくは、被包装物をピロー包装するためのピロー包装用原反フィルム、及び、被包装物をピロー包装したピロー包装体に関する。
【背景技術】
【０００２】
従来から、パンや菓子類等の食品、日用品等の被包装物を包装する形態として、ピロー包装が知られている。かかるピロー包装は、一般的に、曲折自在なフィルム材からなる帯状のピロー包装用原反フィルム（以下、単に原反フィルムという）を長手方向に搬送しつつ被包装体を包装するようにしている。
【０００３】
ここで、ピロー包装の包装工程について具体的に説明すると、ピロー包装は、長手方向に搬送される原反フィルム上に被包装物を供給した後、被包装物を包み込むように原反フィルムを長手方向と直交する短手方向に曲げ、原反フィルムの重なり合う短手方向の両端部同士をシールするとともに、長手方向における被包装物の両側で原反フィルムの互いに重なり合った部分同士をシールして被包装物を包装し、該被包装物を包装した部分をピロー包装体として切り離すようにして行われる。また、原反フィルムからピロー包装体を切り離すのに併せ、被包装物の両側で原反フィルムの互いに重なり合った部分同士をシールしたシール部に切欠き状のノッチを形成するようにもしている。
【０００４】
これにより、上記包装工程で得られたピロー包装体は、ノッチ（ノッチを画定するエッジの頂点）を起点にして被包装物を覆ったフィルム材（包装材）を切断することで、開封できるようになっている。
【０００５】
しかしながら、被包装物の両側にあるシール部は原反フィルムの重なり合った部分同士をシールした領域であるため、剛性が高く、ノッチを起点にして包装材を切断しようとしても円滑に切断できない場合がある。また、ノッチを起点に包装材を切断できたとしても、包装材が不特定な方向に裂けて体裁良く開封できない場合がある。
【０００６】
そこで、原反フィルムには、図１２（ａ）に示す如く、長手方向に延びる第一切断補助線１０’が形成されるとともに、該第一切断補助線１０’に対して長手方向と直交する短手方向に間隔をあけて長手方向に延びる第二切断補助線２０’が形成されたものが提供されている。
【０００７】
かかる原反フィルム１’は、第一切断補助線１０’及び第二切断補助線２０’がハーフカットやミシン目等で構成され、図１２（ｂ）に示す如く、被包装物Ｆ’を包装したピロー包装体Ｐ’（ピロー包装体Ｐ’を構成する包装材６０’）になった状態で、第一切断補助線１０’及び第二切断補助線２０’が互いに対向して同方向に延びた状態になるようになっている。
【０００８】
これにより、上記原反フィルム１’は、ピロー包装体Ｐ’（包装材６０’）になった状態で、包装材６０’を第一切断補助線１０’及び第二切断補助線２０’に沿って切断して容易に開封できるようになっている。
【発明の概要】
【発明が解決しようとする課題】
【０００９】
ところで、被包装物Ｆ’を包装する際、上述の如く、被包装物Ｆ’を包み込むように原反フィルム１’を短手方向に曲げてその両端部同士を重ね合わせるようにしているが、原反フィルム１’の曲がり具合や両端部同士の重なり具合にバラツキが生じ、第一切断補助線１０’と第二切断補助線２０’とが互いに向かい合った配置にならないことがある。
【００１０】
これに伴い、被包装物Ｆ’の両側で原反フィルム１’の互いに重なり合った部分同士をシールしてシール部Ｓ２’を形成すると、シール部Ｓ２’内で第一切断補助線１０’が相手方の第二切断補助線２０’の形成されていない部分と重なった状態になり、また、第二切断補助線２０’が相手方の第一切断補助線１０’の形成されていない部分と重なった状態になってしまうことがある。すなわち、図１３に示す如く、第一切断補助線１０’及び第二切断補助線２０’のそれぞれの端部がシール部Ｓ２’内で短手方向にずれた配置になってしまうことがある。
【００１１】
このように第一切断補助線１０’と第二切断補助線２０’とがシール部Ｓ２’内でずれた配置になると、シール部Ｓ２にノッチ５０’（図１２（ｂ）参照）を形成したとしても、ピロー包装体Ｐ’を開封する際に、第一切断補助線１０’と対向する部分又は第二切断補助線２０’と対向する部分（第一切断補助線１０’の形成されていない部分又は第二切断補助線２０’の形成されていない部分）が包装材６０’の切断を阻害してしまい、円滑に開封できないといった問題がある。
【００１２】
そこで、本発明は、被包装物を包装する包装工程上でフィルム材の曲がり具合や端部同士の重なり具合等にバラツキが生じたとしても、開封の円滑性が確保されるピロー包装用原反フィルム及びピロー包装体を提供することを課題とする。
【課題を解決するための手段】
【００１３】
本発明に係るピロー包装用原反フィルムは、曲折自在な帯状のフィルム材で構成され、長手方向に延びる第一切断補助線が形成されるとともに、該第一切断補助線に対して長手方向と直交する短手方向に間隔をあけて長手方向に延びる第二切断補助線が形成され、被包装物を包み込むように短手方向に曲げた上で、重なり合う短手方向の両端部同士がシールされるとともに、長手方向における被包装物の両側で互いに重なり合った部分同士がシールされ、長手方向で所定長さ毎に切断されることで被包装物を包装したピロー包装体にされるピロー包装用原反フィルムであって、第一切断補助線及び第二切断補助線の少なくとも何れか一方が、短手方向で並列をなすように複数本形成されていることを特徴とする。なお、ここで「シール」とは、熱溶着（ヒートシール）によるフィルム材同士の接合は勿論のこと、接着剤によるフィルム材同士の接合を含む概念である。
【００１４】
上記構成のピロー包装用原反フィルムによれば、第一切断補助線及び第二切断補助線の少なくとも何れか一方が、短手方向で並列をなすように複数本形成されているので、被包装物を包装するために短手方向に曲げて同方向の両端部同士を重ね合わせるに際し、曲げ具合や両端部同士の重なり具合にバラツキが生じたとしても、複数本形成された第一切断補助線又は第二切断補助線の何れか一方の少なくとも何れか一本に対し、相手方となる第一切断補助線又は第二切断補助線の何れか他方が重なった状態又は略重なった状態になる。これにより、被包装物を包み込むように短手方向に曲げたピロー包装用原反フィルムを被包装物の両側でシールした上で切断してピロー包装体にしても、被包装物の両側に形成されるシール部で第一切断補助線と第二切断補助線とが一致又は略一致した状態になる。従って、ピロー包装体を開封するときに、被包装物を包装した包装材（フィルム材）を第一切断補助線及び第二切断補助線の両方に沿って容易に切断することができる。
【００１５】
本発明に係るピロー包装用原反フィルムの一態様として、前記第一切断補助線が一本形成されるのに対し、前記第二切断補助線が複数本形成されていることが好ましい。このようにすれば、被包装物を包装するために短手方向に曲げて同方向の両端部同士を重ね合わせるに際し、曲げ具合や両端部同士の重なり具合にバラツキが生じたとしても、複数本形成された第二切断補助線の何れか一本に対し、相手方となる第一切断補助線が重なった状態又は略重なった状態になる。これにより、被包装物を包み込むように短手方向に曲げたピロー包装用原反フィルムを被包装物の両側でシールした上で切断してピロー包装体にしても、被包装物の両側に形成されるシール部で第一切断補助線と第二切断補助線とが一致又は略一致した状態になる。従って、ピロー包装体を開封するときに、被包装物を包装した包装材（フィルム材）を第一切断補助線及び第二切断補助線の両方に沿って容易に切断することができる。また、第一切断補助線を複数本形成しないため、第一切断補助線を形成する工程或いは設備を最小限に抑えることができる。
【００１６】
本発明に係るピロー包装体は、曲折自在なフィルム材で構成された包装材を備え、包装材は、被包装物を包み込むように一方向に曲げられた状態で、一方向の両端部同士がシールされるとともに、被包装物の両側となる他方向の両端部の互いに重なり合った部分同士がシールされて被包装物を包装し、しかも、一方向に曲げられることで互いに対向する二つの領域のうちの一方の領域には、他方向の両端部の重なり合った部分同士をシールして形成される一対のシール部の少なくとも何れか一方のシール部内に始点を有して一方向と直交する他方向に延びる第一切断補助線が形成され、他方の領域には、第一切断補助線の始点があるシール部内に始点を有して他方向に延びる第二切断補助線が形成されたピロー包装体であって、包装材は、第一切断補助線及び第二切断補助線の少なくとも何れか一方が、一方向で並列をなすように複数本形成されていることを特徴とする。なお、ここで「シール」とは、熱溶着（ヒートシール）によるフィルム材同士の接合は勿論のこと、接着剤によるフィルム材同士の接合を含む概念である。
【００１７】
上記構成のピロー包装体によれば、包装材は、第一切断補助線及び第二切断補助線の少なくとも何れか一方が、一方向で並列をなすように複数本形成されているので、被包装物を包装するために包装材（フィルム材）を一方向に曲げるに際し、フィルム材の曲げ具合や両端部同士を重なり具合にバラツキが生じていたとしても、複数本形成された第一切断補助線又は第二切断補助線の何れか一方の少なくとも何れか一本に対し、相手方となる第一切断補助線又は第二切断補助線の何れか他方が重なった状態又は略重なった状態になる。これにより、該ピロー包装体は、被包装物の両側に形成されるシール部で第一切断補助線と第二切断補助線とが一致又は略一致した状態になっており、開封するときに、被包装物を包装した包装材を第一切断補助線及び第二切断補助線の両方に沿って容易に切断することができる。
【００１８】
本発明に係るピロー包装体の一態様として、前記第一切断補助線が一本形成されるのに対し、前記第二切断補助線が複数本形成されていることが好ましい。このようにすれば、被包装物を包装するために包装材（フィルム材）を一方向に曲げるに際し、フィルム材の曲げ具合や両端部同士を重なり具合にバラツキが生じていたとしても、複数本形成された第二切断補助線何れか一本に対し、相手方となる第一切断補助線が重なった状態又は略重なった状態になる。これにより、該ピロー包装体は、被包装物の両側に形成されるシール部で第一切断補助線と第二切断補助線とが一致又は略一致した状態になっており、開封するときに、被包装物を包装した包装材を第一切断補助線及び第二切断補助線の両方に沿って容易に切断することができる。また、第一切断補助線を複数本形成しないため、第一切断補助線を形成する工程或いは設備を最小限に抑えることができる。
【発明の効果】
【００１９】
本発明のピロー包装用原反フィルム、及びピロー包装体によれば、被包装物を包装する包装工程上でフィルム材の曲がり具合や端部同士の重なり具合等にバラツキが生じたとしても、開封の円滑性を確保できるという優れた効果を奏し得る。
【図面の簡単な説明】
【００２０】
【図１】本発明の第一実施形態に係るピロー包装用原反フィルムの部分平面図を示す。
【図２】第一実施形態に係るピロー包装用原反フィルムに第一切断補助線及び第二切断補助線を形成する方法を説明するための説明図であって、（ａ）は、ピロー包装用原反フィルムになるフィルム材に切断補助線を形成する状態の概略縦断面図を示し、（ｂ）は、ピロー包装用原反フィルムになるフィルム材に切断補助線を形成する状態の斜視図を示す。
【図３】第一実施形態に係るピロー包装用原反フィルムの部分拡大断面図であって、（ａ）は、第一切断補助線付近の部分拡大断面図を示し、（ｂ）は、第二切断補助線付近の部分拡大断面図を示す。
【図４】第一実施形態に係るピロー包装用原反フィルムで被包装材を包装する際の包装工程を説明するための概略平面図を示す。
【図５】第一実施形態に係るピロー包装用原反フィルムで被包装材を包装したピロー包装体の斜視図を示す。
【図６】第一実施形態に係るピロー包装用原反フィルムで被包装材を包装した状態の第二シール部の概略断面図であって、第一切断補助線及び第二切断補助線の配置を示した概略図を示す。
【図７】本発明の第二実施形態に係るピロー包装用原反フィルムの部分平面図を示す。
【図８】第二実施形態に係るピロー包装用原反フィルムで被包装材を包装する際の包装工程を説明するための概略平面図を示す。
【図９】第二実施形態に係るピロー包装用原反フィルムで被包装材を包装したピロー包装体の斜視図を示す。
【図１０】第二実施形態に係るピロー包装用原反フィルムで被包装材を包装した状態の第二シール部の概略断面図であって、第一切断補助線及び第二切断補助線の配置を示した概略図を示す。
【図１１】本発明の他実施形態に係るピロー包装体用の包装材の説明図であって、（ａ）は、被包装物を包装した状態でガセットの形成されるピロー包装体用の包装材の平面図を示し、（ｂ）被包装物を包装した状態でガセットの形成されない一般的なピロー包装体用の包装材の平面図を示す。
【図１２】従来の包装態様を説明するための説明図であって、（ａ）は、従来のピロー包装用原反フィルムの部分平面図を示し、（ｂ）は、被包装物を包装した状態のピロー包装体の斜視図を示す。
【図１３】従来のピロー包装用原反フィルムで被包装材を包装した状態のシール部の概略断面図であって、第一切断補助線及び第二切断補助線の配置を示した概略図を示す。
【発明を実施するための形態】
【００２１】
以下、本発明の第一実施形態に係るピロー包装用原反フィルム（以下、単に原反フィルムという）及びピロー包装体について、添付図面を参照しつつ説明する。
【００２２】
本実施形態に係る原反フィルムは、曲折自在な帯状のフィルム材で構成されている。そして、原反フィルムは、図１に示す如く、長手方向に延びる第一切断補助線１０が形成されるとともに、該第一切断補助線１０に対して長手方向と直交する短手方向に間隔をあけて長手方向に延びる第二切断補助線２０が形成されている。
【００２３】
そして、原反フィルム１は、第一切断補助線１０及び第二切断補助線２０の少なくとも何れか一方が、短手方向で並列をなすように複数本形成される。本実施形態に係る原反フィルム１は、第一切断補助線１０が一本形成されるのに対し、第二切断補助線２０…が複数本形成されている。
【００２４】
第一切断補助線１０は、フィルム材の少なくとも何れか一方の面上を線状に切り欠いたハーフカットや、複数の切り目を一列に配設したミシン目等の周知な構成を採用することができる。
【００２５】
本実施形態に係る第一切断補助線１０は、形態的に従来から周知なハーフカットに類似するものであるが、切断方向性や切断容易性が従来のハーフカットよりも格段に向上した特殊なものになっている。
【００２６】
ここで本実施形態に係る第一切断補助線１０の形成方法について説明すると、図２（ａ）及び図２（ｂ）に示す如く、第一切断補助線１０は、原反フィルム１になるフィルム材ｆを所定周波数の超音波が付与されるホーンＨと受け材Ｂとで挟み込んだ状態で、前記ホーンＨに超音波を付与してフィルム材ｆを溶かすことで形成されている。
【００２７】
より具体的に説明すると、本実施形態に係る第一切断補助線１０を形成するための受け材Ｂは、ホーンＨと共にフィルム材ｆを挟み込む先端部の幅が先端に向かうにつれて幅狭になるように形成されている。そして、ホーンＨと受け材Ｂとに挟み込まれたフィルム材ｆに対して受け材Ｂの先端部の幅方向と直交する方向の張力Ｔを作用させつつホーンＨに超音波を付与する。このようにすると、ホーンＨに付与した超音波による振動エネルギーでフィルム材ｆが受け材Ｂの先端部の形状に対応して溶け、その溶けた部分が受け材Ｂの先端部によって両側に押しやられて隆起部３０になるのに併せ、フィルム材ｆに対する張力Ｔの作用で両側の隆起部３０が互いに接近する結果、図３（ａ）に示す如く、隆起部３０間に第一切断補助線１０が細長く且つ深さの深い溝のように形成される。
【００２８】
これにより、本実施形態に係る原反フィルム１は、第一切断補助線１０と直交する方向に引っ張ると、厚みが周囲の厚みと極端に異なる第一切断補助線１０と対応する部分に引っ張り力（張力Ｔ）が集中して作用し、薄肉になって脆弱になった部分（第一切断補助線１０上）で切断するようになっている。また、該原反フィルム１は、第一切断補助線１０の両側に強度の増した隆起部３０が形成されているため、切断時に第一切断補助線１０の延びる方向に対して交差する方向に裂けようとしても、隆起部３０が切断方向を矯正して第一切断補助線１０に沿って裂けるようになっている。これにより、本実施形態に係る原反フィルム１は、第一切断補助線１０に沿って体裁良く切断できるようになっている。
【００２９】
第二切断補助線２０…は、フィルム材を線状に切り欠いたハーフカットや、複数の切り目を一列に配設したミシン目等の従来から周知な構成を採用することができる。
【００３０】
本実施形態に係る第二切断補助線２０…は、第一切断補助線１０と同様の方法で形成されている。本実施形態に係る原反フィルム１は、複数の第二切断補助線２０…が第一切断補助線１０と同様の方法で形成されているため、図３（ｂ）に示す如く、各第二切断補助線２０…を形成するときに受け材Ｂによって両側に押しやられた部分（隆起部３０）が隣り合う第二切断補助線２０…間に集まる結果、第二切断補助線２０…間（隆起部３０）の厚みが周囲よりも厚くなっている。これにより、本実施形態に係る原反フィルム１は、第一切断補助線１０と同様に、何れの第二切断補助線２０においても体裁良く切断できるようになっている。
【００３１】
図１に戻り、本実施形態に係る原反フィルム１は、被包装物Ｆを包装した状態で該被包装物Ｆの両側に一対のガセット４０ａ，４０ｂ（図５参照）を形成できるように短手方向の寸法が設定されている。また、本実施形態に係る原反フィルム１は、開封時に一方のガセット４０ａを切除できるように、第一切断補助線１０及び第二切断補助線２０…の配置が決定されている。すなわち、本実施形態に係る原反フィルム１は、第一切断補助線１０と第二切断補助線２０…との間が一方のガセット４０ａとなる領域４０ａ’に設定されている。
【００３２】
本実施形態に係る原反フィルム１は、短手方向の中央位置よりも一端側の領域内に第一切断補助線１０及び第二切断補助線２０…の両方が形成されている。これに伴い、該原反フィルム１は、短手方向の他端側の領域であって短手方向の中央で長手方向に延びる中央線（図示しない）を基準に一方のガセット４０ａになる領域４０ａ’と対称となる位置に他方のガセット４０ｂになる領域４０ｂ’が設定されている。すなわち、本実施形態に係る原反フィルム１は、短手方向の中央にある中央線を基準にした対称位置に一対のガセット４０ａ，４０ｂになる領域４０ａ’，４０ｂ’に設定されている。なお、図１には、便宜上、ガセット４０ａ，４０ｂを形成するための折り曲げ予定線（後述の第一予定線Ｌ１、第二予定線Ｌ２、第三予定線Ｌ３）を二点鎖線で示しているが、実際の原反フィルム１にこれらの予定線Ｌ１，Ｌ２，Ｌ３は描かれていない。
【００３３】
本実施形態に係る原反フィルム１は、以上の構成からなり、次に、該原反フィルム１を用いて被包装物Ｆを包装する包装工程（包装方法）について説明する。なお、ここでは特に言及しないが、原反フィルム１でピロー包装する場合、専用のピロー包装機が用いられるため、以下の包装工程は、ピロー包装機の作動と対応している。
【００３４】
まず、図４に示す如く、原反フィルム１は、被包装物Ｆの供給される供給位置を通過するように長手方向に搬送される。この際、原反フィルム１は、供給位置の前段でガセット４０ａ，４０ｂの一部を形成すべく、折り曲げ予定線Ｌ１，Ｌ２に沿って折り返される。すなわち、原反フィルム１は、各ガセット４０ａ，４０ｂになる領域４０ａ’４０ｂ’に対して短手方向に間隔をあけて三本（三箇所）の折り曲げ予定線Ｌ１，Ｌ２，Ｌ３が設定されており、各領域４０ａ’４０ｂ’内に設定された三本の折り曲げ予定線Ｌ１，Ｌ２，Ｌ３のうち、短手方向の内側にある二本の折り曲げ予定線Ｌ１，Ｌ２（以下、この二本の折り曲げ予定線Ｌ１，Ｌ２のうち、最も内側にある折り曲げ予定線Ｌ１を第一予定線といい、中央の折り曲げ予定線Ｌ２を第二予定線ということとする。）で折り返される。
【００３５】
これにより、原反フィルム１は、ガセット４０ａ，４０ｂになる領域４０ａ’４０ｂ’の一部が長手方向に延びた襞状に形成されることになる。この状態で、一方のガセット４０ａを形成するための折り曲げ予定線Ｌ１，Ｌ２，Ｌ３のうち、最も外側にある折り曲げ予定線（以下、第三予定線Ｌ３という）を基準にして第一切断補助線１０と複数の第二切断補助線２０…とが略対称的な配置になる。
【００３６】
そして、一対のガセット４０ａ，４０ｂになる領域４０ａ’４０ｂ’のそれぞれの一部が襞状に形成されると、一対のガセット４０ａ，４０ｂになる領域４０ａ’４０ｂ’間に（原反フィルム１上）に被包装物Ｆが配置される。しかる後、原反フィルム１は、長手方向に搬送されつつ、各第三予定線Ｌ３で折り返される。これにより、第三予定線Ｌ３よりも幅方向外側にあった領域は、被包装物Ｆに被った状態になる。そして、第一予定線Ｌ１と第三予定線Ｌ３とが略対向した状態になり、第一予定線Ｌ１と第三予定線Ｌ３との間が、第二予定線Ｌ２上で稜線を形成した二つ折り状（襠状）のガセット４０ａ，４０ｂとなる。
【００３７】
そして、上述の如く、第一切断補助線１０と複数の第二切断補助線２０…とが第三予定線Ｌ３を基準に略対称位置にあるため、該第三予定線Ｌ３上で原反フィルム１を折り返すと、複数の第二切断補助線２０…の何れか一本に対して第一切断補助線１０が対向した状態になる。
【００３８】
そして、原反フィルム１は、長手方向に搬送されつつ、短手方向の両端部同士が長手方向に延びる一対の第一ヒートシールバーＳＢ１，ＳＢ１に挟まれてシール（熱溶着）され、長手方向に延びるシール部分Ｓ１（以下、第一シール部という）が形成される。これにより、原反フィルム１は、短手方向に無端環状をなして被包装物Ｆを囲んだ状態になる。
【００３９】
しかる後、被包装物Ｆを包み込んだ原反フィルム１における被包装物Ｆの両側（折り返しによって互いに重なり合った部分）が短手方向に延びる一対の第二ヒートシールバーＳＢ２，ＳＢ２に挟まれてシール（熱溶着）され、短手方向に延びたシール部（以下、第二シール部という）Ｓ２が形成される。ここで第二シール部Ｓ２が形成されるが、上述の如く、複数の第二切断補助線２０…の何れ一本に対して第一切断補助線１０が対向した状態になっているため、原反フィルム１の短手方向の両端部の重ね合わせにズレが生じた状態で第二シール部Ｓ２が形成された（互いに重なり合った部分同士がシールされた）としても、第二シール部Ｓ２内で何れかの第二切断補助線２０…と第一切断補助線１０とが重なった状態になる。
【００４０】
そして、原反フィルム１は、第二シール部Ｓ２の延びる方向（短手方向）に沿うように切断され、該切断によって切り離された部分が被包装物Ｆを包装した包装材６０となる。すなわち、原反フィルム１が短手方向に延びる帯状の第二シール部Ｓ２上で短手方向に切断されることで、被包装物Ｆを包装材６０で覆ったピロー包装体Ｐが原反フィルム１から切り離されることになる。そして、なお、原反フィルム１を切断するのに併せ、第一切断補助線１０の配置に対応する位置に切欠き状のノッチ５０が形成される。
【００４１】
このように、帯状の原反フィルム１を長手方向に搬送しつつ、ガセット４０ａ，４０ｂの形成、被包装物Ｆの包装、第一シール部Ｓ１及び第二シール部Ｓ２の形成、原反フィルム１の切断を連続的に行うことで、複数のピロー包装体Ｐが連続的に形成されることになる。
【００４２】
上記工程を経て作製されたピロー包装体Ｐは、図５に示す如く、包装材６０が被包装物Ｆを包み込むように一方向に曲げられた状態で、一方向の両端部同士がシールされて第一シール部Ｓ１が形成されるとともに、被包装物Ｆの両側となる他方向の両端部の重なり合った部分同士がシールされて一対の第二シール部Ｓ２，Ｓ２が形成されている。これにより、ピロー包装体Ｐは、包装材６０が被包装物Ｆの周囲を完全に覆い、被包装物Ｆを包装した状態になっている。また、該ピロー包装体Ｐは、包装材６０が一方向に曲げられることで互いに対向した二つの領域Ｘ，Ｙが形成されており、その領域Ｘ，Ｙのうちの一方の領域Ｘには、他方向の両端部に形成される第二シール部Ｓ２内に始点を有して一方向と直交する他方向に延びる第一切断補助線１０が形成され、他方の領域Ｙには、第一切断補助線１０の始点がある第二シール部Ｓ２内に始点を有して他方向に延びる第二切断補助線２０が形成されている。そして、該ピロー包装体Ｐの包装材６０は、第一切断補助線１０が一本形成され、第二切断補助線２０が一方向で並列をなすように複数本形成されている。
【００４３】
上記構成のピロー包装体Ｐは、複数の第二切断補助線２０…が一方向で並列をなすように形成されているため、包装工程上で原反フィルム１の曲げ具合や短手方向の端部同士の重なり具合にバラツキが生じていたとしても、図６に示す如く、第二シール部Ｓ２内で第一切断補助線１０と複数の第二切断補助線２０…の何れか一本とが一致している。従って、該ピロー包装体Ｐは、ノッチ５０を起点に包装材６０を他方向（原反フィルム１の長手方向と対応する方向）に切断するに際し、何ら阻害されることなく、第一切断補助線１０と、これに対応する第二切断補助線２０…とに沿って切断されることになる。
【００４４】
そして、上記構成のピロー包装体Ｐは、図５に示す如く、包装材６０が一方のガセット４０ａの両側に形成された第一切断補助線１０と第二切断補助線２０…とに沿って切断されるため、開封後に該ガセット４０ａとその近傍とが切除される結果、被包装物Ｆの大部分が包装材６０の残りの部分に覆われた状態になる。従って、被包装物Ｆがパン等の食品である場合には、包装材６０の被包装物Ｆを覆った部分を持って食すことができる。
【００４５】
以上のように、本実施形態に係る原反フィルム１及びピロー包装体Ｐは、被包装物Ｆを包装する包装工程上で原反フィルム１の曲がり具合や端部同士の重なり具合等にバラツキが生じたとしても、開封の円滑性を確保できる。
【００４６】
また、本実施形態に係る原反フィルム１は、上述の如く、第一切断補助線１０が一本形成されるのに対し、第二切断補助線２０…が短手方向で並列をなすように複数本形成されているので、第一切断補助線を形成する工程を最小限に抑えた上で、上記作用及び効果を奏することができる。
【００４７】
次に、本発明の第二実施形態に係るピロー包装用原反フィルム及びピロー包装体について説明する。なお、以下の説明において、第一実施形態と同一の構成、或いは相当する構成について同一名称及び同一符号を付すこととする。
【００４８】
本実施形態に係る原反フィルム１は、第一実施形態と同様に、曲折自在な帯状のフィルム材で構成されており、図７に示す如く、長手方向に延びる第一切断補助線１０が形成されるとともに、該第一切断補助線１０に対して長手方向と直交する短手方向に間隔をあけて長手方向に延びる第二切断補助線２０が形成されている。
【００４９】
そして、原反フィルム１は、第一切断補助線１０及び第二切断補助線２０の少なくとも何れか一方が、短手方向で並列をなすように複数本形成される。本実施形態に係る原反フィルム１は、第一切断補助線１０が一本形成されるのに対し、第二切断補助線２０…が複数本形成されている。
【００５０】
第一切断補助線１０は、フィルム材の少なくとも何れか一方の面上を線状に切り欠いたハーフカットや、複数の切り目を一列に配設したミシン目等の従来から周知な構成を採用することができるが、本実施形態においても、第一実施形態と同様の方法で同様の形態に形成されている。
【００５１】
そして、第二切断補助線２０…についても、フィルム材を線状に切り欠いたハーフカットや、複数の切り目を一列に配設したミシン目等の従来から周知な構成を採用することができるが、本実施形態においても、第一実施形態と同様の方法で同様の形態に形成されている。
【００５２】
本実施形態に係る原反フィルム１は、第一実施形態とは異なり、短手方向の両側を折り返すことで被包装物Ｆを包み込んだ状態になるように短手方向の長さが設定されている。すなわち、該原反フィルム１は、被包装物Ｆを包装するときに短手方向の両側のそれぞれに一本の稜線を形成した状態で折り返すことを前提に短手方向の寸法が設定されている。
【００５３】
そして、本実施形態に係る原反フィルム１は、開封時に一方の稜線とその近傍を切除できるように、第一切断補助線１０と第二切断補助線２０…との間に包装時の稜線となる折り曲げ予定線Ｌが設定されている。すなわち、本実施形態に係る原反フィルム１は、第一切断補助線１０と複数の第二切断補助線２０…とが折り曲げ予定線Ｌを基準に略対称位置になるように形成されている。
【００５４】
本実施形態に係る原反フィルム１は、短手方向の中央位置よりも一端側の領域内に第一切断補助線１０及び第二切断補助線２０…の両方が形成されている。これに伴い、本実施形態に係る原反フィルム１は、短手方向の他端側であって短手方向の中央で長手方向に延びる中央線を基準に一方の稜線（折り曲げ予定線Ｌ）と対称となる位置に他方の稜線になる折り曲げ予定線Ｌが設定されている。なお、図７には、便宜上、ピロー包装体Ｐになったときに稜線となる折り曲げ予定線Ｌを二点鎖線で示しているが、実際の原反フィルム１には、折り曲げ予定線Ｌは描かれていない。
【００５５】
本実施形態に係る原反フィルム１は、以上の構成からなり、次に、該原反フィルム１を用いて被包装物Ｆを包装する包装工程（包装方法）について説明する。なお、ここでは特に言及しないが、原反フィルム１でピロー包装する場合、専用のピロー包装機が用いられるため、以下の包装工程は、ピロー包装機の作動と対応している。
【００５６】
まず、図８に示す如く、原反フィルム１は、被包装物Ｆの供給される供給位置を通過するように長手方向に搬送される。この際、本実施形態に係る原反フィルム１は、供給位置で被包装物Ｆが一方の面上に供給され、その後に折り曲げ予定線Ｌ，Ｌに沿って短手方向の両側が折り返される。
【００５７】
そして、上述の如く、第一切断補助線１０と複数の第二切断補助線２０…とが折り曲げ予定線Ｌを基準に略対称位置にあるため、原反フィルム１を折り曲げ予定線Ｌで折り返すと、複数の第二切断補助線２０…の何れか一本に対して第一切断補助線１０が対向した状態になる。
【００５８】
そして、原反フィルム１は、長手方向に搬送されつつ、短手方向の両端部同士が原反フィルム１の長手方向に延びる一対の第一ヒートシールバーＳＢ１，ＳＢ１に挟まれてシール（熱溶着）され、長手方向に延びる第一シール部Ｓ１が形成されることになる。
【００５９】
しかる後、被包装物Ｆを包み込んだ原反フィルム１における被包装物Ｆの両側（折り返しによって互いに重なり合った部分）が短手方向に延びる一対の第二ヒートシールバーＳＢ２，ＳＢ２に挟まれてシール（熱溶着）され、短手方向に延びた第二シール部Ｓ２が形成される。ここで第二シール部Ｓ２が形成されるが、上述の如く、複数の第二切断補助線２０…の何れか一本に対して第一切断補助線１０が対向した状態になっているため、原反フィルム１の短手方向の両端部同士の重ね合わせにズレが生じた状態で第二シール部Ｓ２が形成された（互いに重なり合った部分同士がシールされた）としても、第二シール部Ｓ２内で何れか一本の第二切断補助線２０…と第一切断補助線１０とが重なった状態になる。
【００６０】
そして、原反フィルム１は、第二シール部Ｓ２の延びる方向（短手方向）に沿うように切断され、被包装物Ｆを包装した部分がピロー包装体Ｐとして切り離される。すなわち、原反フィルム１は、短手方向に延びる帯状の第二シール部Ｓ２上で短手方向に切断されてピロー包装体Ｐとなる。なお、原反フィルム１を切断するのに併せ、第一切断補助線１０の配置に対応する位置に切欠き状のノッチ５０が形成される。
【００６１】
このように、帯状の原反フィルム１を長手方向に搬送しつつ、被包装物Ｆの包装、第一シール部Ｓ１及び第二シール部Ｓ２の形成、原反フィルム１の切断を連続的に行うことで、複数のピロー包装体Ｐが連続的に形成されることになる。
【００６２】
上記工程を経て作製されたピロー包装体Ｐは、図９に示す如く、包装材６０が被包装物Ｆを包み込むように一方向に曲げられた状態で、一方向の両端部同士がシールされるとともに、被包装物Ｆの両側となる他方向の両端部の互いに重なり合った部分同士がシールされて被包装物Ｆを包装した状態になっている。また、該ピロー包装体Ｐは、包装材６０が一方向に曲げられることで互いに対向する二つの領域Ｘ，Ｙが形成されており、その二つの領域Ｘ，Ｙのうちの一方の領域Ｘには、他方向の両端部に形成される第二シール部Ｓ２内に始点を有して一方向と直交する他方向に延びる第一切断補助線１０が形成され、他方の領域Ｙには、第一切断補助線１０の始点がある第二シール部Ｓ２内に始点を有して他方向に延びる第二切断補助線２０が形成されている。そして、該ピロー包装体Ｐの包装材６０は、第一切断補助線１０が一本形成され、第二切断補助線２０が一方向で並列をなすように複数本形成されている。
【００６３】
上記構成のピロー包装体Ｐは、複数の第二切断補助線２０…が一方向で並列をなすように形成されているため、包装工程上で原反フィルム１の曲げ具合や短手方向の端部同士の重なり具合にバラツキが生じていたとしても、図１０に示す如く、第二シール部Ｓ２内で第一切断補助線１０と複数の第二切断補助線２０…の何れか一本とが一致することになる。従って、該ピロー包装体Ｐは、ノッチ５０を起点に包装材６０を他方向（原反フィルム１の長手方向と対応する方向）に切断するに際し、何ら阻害されることなく、第一切断補助線１０と、これに対応する第二切断補助線２０…とに沿って切断されることになる。
【００６４】
本実施形態に係るピロー包装体Ｐは、図９に示す如く、包装材６０が一方の稜線（折り曲げ予定線）Ｌの両側に形成される第一切断補助線１０と第二切断補助線２０…とに沿って切断されるため、開封後に稜線Ｌ近傍が切除される結果、被包装物Ｆの大部分が原反フィルム１（フィルム材）の残りの部分に覆われた状態になる。従って、被包装物Ｆがパン等の食品である場合には、包装材６０の被包装物Ｆを覆った部分を持って食すことができる。
【００６５】
以上のように、本実施形態に係る原反フィルム１及びピロー包装体Ｐは、被包装物Ｆを包装する包装工程上で原反フィルム１の曲がり具合や端部同士の重なり具合等にバラツキが生じたとしても、開封の円滑性を確保できる。
【００６６】
また、本実施形態に係る原反フィルム１は、上述の如く、第一切断補助線１０が一本形成されるのに対し、第二切断補助線２０…が短手方向で並列をなすように複数本形成されているので、第一切断補助線を形成する工程を最小限に抑えた上で、上記作用及び効果を奏することができる。
【００６７】
尚、本発明は、上記各実施形態に限定されるものではなく、本発明の要旨を逸脱しない範囲で、適宜変更可能である。
【００６８】
例えば、上記各実施形態において、第一切断補助線１０を一本形成するのに対し、第二切断補助線２０…を複数本形成するようにしたが、これに限定されるものではなく、例えば、第一切断補助線１０を複数本形成するのに対し、第二切断補助線２０…を一本形成するようにしてもよい。また、第一切断補助線１０を複数本形成するとともに、第二切断補助線２０…を複数本形成するようにしてもよい。
【００６９】
上記各実施形態において、原反フィルム１の短手方向の一端側の領域内に第一切断補助線１０及び第二切断補助線２０…を形成したが、これに限定されるものではなく、例えば、短手方向の中央を通る中心線を基準に一端側の領域内に第一切断補助線１０を形成するとともに他端側の領域内に第二切断補助線２０…を形成するようにしてもよい。すなわち、第一切断補助線１０及び第二切断補助線２０…は、被包装物Ｆを包装した状態で互いに対向することになる二つ領域Ｘ，Ｙのそれぞれに形成されればよい。
【００７０】
上記各実施形態において、ホーンＨと幅方向に先細りした受け材Ｂとに挟み込まれたフィルム材ｆに対して受け材Ｂの先端部の幅方向と直交する方向の張力Ｔを作用させつつホーンＨに超音波を付与することで第一切断補助線１０及び第二切断補助線２０…を形成するようにしたが、これに限定されるものではなく、例えば、第一切断補助線１０及び第二切断補助線２０…は、フィルム材を線状に溶かしたり、フィルム材を線状に切り欠いたりして形成される一般的なハーフカットであってもよいし、複数の切り目が一列に並んだ一般的なミシン目であってもよい。
【００７１】
上記各実施形態において、第一切断補助線１０及び第二切断補助線２０…を原反フィルム１の長手方向の全長に亘って形成したが、これに限定されるものではなく、例えば、第一切断補助線１０及び第二切断補助線２０…は、第二シール部Ｓ２となる部分を含んだ一部の領域に形成するようにしてもよい。また、ピロー包装体Ｐの他方向の両端部に形成される一対の第二シール部Ｓ２，Ｓ２の両方に第一切断補助線１０及び第二切断補助線の両端部が存在するようにしたが、例えば、一方の第二シール部Ｓ２のみに第一切断補助線１０及び第二切断補助線２０の一方の端部（始点）が存在するように第一切断補助線１０及び第二切断補助線２０を形成するようにしてもよい。このようにしても、包装材６０の切断の開始を容易に行うことができ、第一切断補助線１０及び第二切断補助線２０の存在する部分をこれらに沿って切断することができる。但し、この場合においては、第一切断補助線１０及び第二切断補助線２０の存在しない部分が形成されるため、開封時に第一切断補助線１０及び第二切断補助線２０…の延びる方向で切断できるように、原反フィルム１に切断方向性のある一軸延伸処理されたフィルム材や二軸延伸処理されたフィルム材を採用することが好ましい。
【００７２】
上記各実施形態において、熱溶着で第一シール部Ｓ１及び第二シール部Ｓ２を形成するようにしたが、これに限定されるものではなく、例えば、接着剤を用いて原反フィルム１の短手方向の端部同士を接合して第一シール部Ｓ１を形成し、また、接着剤を用いて被包装物Ｆの両側にある原反フィルム１の互いに重なり合った部分同士を接合して第二シール部Ｓ２を形成するようにしてもよい。
【００７３】
上記各実施形態において、原反フィルム１で被包装物Ｆを包装してピロー包装体Ｐを作製するようにしたが、ピロー包装体Ｐは、例えば、図１１（ａ）及び図１１（ｂ）に示す如く、平面視略矩形状をなす枚葉状の包装材６０で被包装物Ｆを包装したものであってもよい。すなわち、第一及び第二実施形態で説明した原反フィルム１を長手方向で所定寸法ずつ予め切断して枚葉状の包装材６０を作製しておき、その包装材６０の一方向の両端部同士をシールする（第一シール部Ｓ１を形成する）とともに、他方向における被包装物Ｆの両側で包装材６０の互いに重なり合った部分同士をシールする（第二シール部Ｓ２を形成する）することで形成したピロー包装体Ｐであってもよい。この場合においても、枚葉状の包装材６０を一方向に曲げるときに、曲げ具合や同方向の両端部同士の重なり具合にバラツキが発生することがあるが、上述の如く、第一切断補助線１０及び第二切断補助線２０の少なくとも何れか一方を複数本並列に形成することで、包装材６０を曲げたときに両者が一致した状態になる結果、上記各実施形態と同様に円滑に開封することができる。従って、第一及び第二実施形態に係る原反フィルム１は、枚葉状のピロー包装材６０を作製するための原反フィルムとして活用してもよい。
【符号の説明】
【００７４】
１…原反フィルム、１０…第一切断補助線、２０…第二切断補助線、３０…隆起部、４０…ガセット、５０…ノッチ、６０…包装材、ｆ…フィルム材、Ｆ…被包装物、Ｈ…ホーン、Ｂ…受け材、Ｌ…予定線、Ｌ…稜線、Ｌ１…第一予定線（折り曲げ予定線）、Ｌ２…第二予定線（折り曲げ予定線）、Ｌ３…第三予定線（折り曲げ予定線）、Ｐ…ピロー包装体、Ｓ１…第一シール部、Ｓ２…第二シール部、ＳＢ１…第一ヒートシールバー、ＳＢ２…第二ヒートシールバー、Ｘ，Ｙ…領域
【図１】
2010285167.tif 000003
【図２】
2010285167.tif 000004
【図３】
2010285167.tif 000005
【図４】
2010285167.tif 000006
【図５】
2010285167.tif 000007
【図６】
2010285167.tif 000008
【図７】
2010285167.tif 000009
【図８】
2010285167.tif 000010
【図９】
2010285167.tif 000011
【図１０】
2010285167.tif 000012
【図１１】
2010285167.tif 000013
【図１２】
2010285167.tif 000014
【図１３】
2010285167.tif 000015